(57)【要約】【課題】  把手部材の形状を簡単なものにし、インサート成形により内容量が５００ｍｌ以下のボトルの肩部に、把手を固着させるようにした把手付きボトルを提供すること。【解決手段】  把手付き小容量ボトルとして、ボトルの容量が５００ｍｌ以下のＰＥＴ樹脂製で、別途成形された把手部材をブロー金型の肩部形成部に装着し、加熱軟化させたプリフォームをブロー成形することにより、ボトルの肩部に把手部材をインサート成形したボトルであって、把手部材が、中央部上方を垂直面とし、その下方を傾斜湾曲面とし、その他の表面をボトルの肩部とほぼ面一になるように形成された表壁面と、表壁面の中央上端から延びる水平部と表壁面の中央下端から立設された垂直部とを連設させてなる把手とからなり、表壁面裏面の上端、下端、および側面には、ボトル内方に突出する突部が配設されており、前記垂直面下端には、下方に突出する突条が形成されていることを特徴とする。【選択図】  図１
2011213418.tif 000002
【特許請求の範囲】
【請求項１】
ボトルの容量が５００ｍｌ以下のＰＥＴ樹脂製で、別途成形された把手部材をブロー金型の肩部形成部に装着し、加熱軟化させたプリフォームをブロー成形することにより、ボトルの肩部に把手部材をインサート成形したボトルであって、
把手部材が、中央部上方を垂直面とし、その下方を傾斜湾曲面とし、その他の表面をボトルの肩部とほぼ面一になるように形成された表壁面と、表壁面の中央上端から延びる水平部と表壁面の中央下端から立設された垂直部とを連設させてなる把手とからなり、
表壁面裏面の上端、下端、および側面には、ボトル内方に突出する突部が配設されており、
前記垂直面下端には、下方に突出する突条が形成されていることを特徴とする把手付き小容量ボトル。
【請求項２】
把手部材の把手が、水平部と垂直部とからなる把手に替え、表壁面の中央上端から延びる把手杆と、該把手杆先端から垂設された引っ掛け部とからなることを特徴とする請求項１記載の把手付き小容量ボトル。
【発明の詳細な説明】
【技術分野】
【０００１】
本発明は、把手付きボトル、特に、把手部材をインサート成形により一体成形した内容量が５００ｍｌ以下のＰＥＴ樹脂製ボトルに関するものである。
【背景技術】
【０００２】
容器の持ち運びを簡単にするため、把手を具えた把手付きボトルとして、把手部材を別体で成形し、インサート成形によりボトルの一部に固着させた把手付きボトルは、従来より知られている（例えば、特許文献１、２参照）。
【先行技術文献】
【特許文献】
【０００３】
【特許文献１】特開平６−３３５９５８号
【特許文献２】特開平７−８０９２１号
【発明の概要】
【発明が解決しようとする課題】
【０００４】
上記特許文献１、２記載の把手付きボトルは、いずれも大型のボトルであって、把手はボトルの胴部にインサート成形されるようにしている。
しかしながら、５００ｍｌ以下の小容量のボトルでは、従来のように把手を胴部に取り付けた場合、把手がかえってボトルの持ち運びや取扱いの妨げとなり、美観を損なうことにもなった。
【０００５】
小容量のボトルの場合には、ボトル自体を手で掴むことだけで充分であるので、ボトル自体に把手を付けることまで考えなかった。
また、ボトルの持ち運び、使い勝手をよくするため、小容量のボトルの首部にひも等を巻き付けたり、ボトル自体を袋等で包み込んだり、ひも等を引っ掛けて使用するということも考えられてはいるが、ボトルに、ひも等を装着するための作業が必要となっていた。
【０００６】
本発明は、上記の事情を考え、把手部材の形状を簡単なものにし、インサート成形により内容量が５００ｍｌ以下のボトルの肩部に、把手を固着させるようにした把手付きボトルを提供することを目的とする。
【課題を解決するための手段】
【０００７】
本発明は、上記の課題を解決するため、把手付き小容量ボトルとして、ボトルの容量が５００ｍｌ以下のＰＥＴ樹脂製で、別途成形された把手部材をブロー金型の肩部形成部に装着し、加熱軟化させたプリフォームをブロー成形することにより、ボトルの肩部に把手部材をインサート成形したボトルであって、把手部材が、中央部上方を垂直面とし、その下方を傾斜湾曲面とし、その他の表面をボトルの肩部とほぼ面一になるように形成された表壁面と、表壁面の中央上端から延びる水平部と表壁面の中央下端から立設された垂直部とを連設させてなる把手とからなり、表壁面裏面の上端、下端、および側面には、ボトル内方に突出する突部が配設されており、前記垂直面下端には、下方に突出する突条が形成されていることを特徴とする構成を採用する。
【０００８】
把手部材の他の実施例として、把手部材の把手が、水平部と垂直部とからなる把手に替え、表壁面の中央上端から延びる把手杆と、該把手杆先端から垂設された引っ掛け部とからなることを特徴とする構成を採用する。
【発明の効果】
【０００９】
本発明の把手付きボトルは、容量が５００ｍｌ以下のＰＥＴボトルの肩部に把手をインサート成形することによって取着するようにしたので、胴部のパネル面の形状を変更することがなく、ボトルの持ち運び、使い勝手がよくなった。
【図面の簡単な説明】
【００１０】
【図１】第１実施例の把手付きボトルの断面立面図である。
【図２】把手部材の断面立面図である。
【図３】第２実施例の把手付きボトルの断面立面図である。
【図４】把手部材の断面立面図である。
【発明を実施するための形態】
【００１１】
次に、本発明の把手付きボトルについて、実施例をあげ、図面を参照して説明する。
【実施例１】
【００１２】
図１において、ＡはＰＥＴ樹脂により延伸ブロー成形され、内容量が５００ｍｌ以下のボトル、ＢａはボトルＡの肩部の一部にインサート成形により一体成形される把手部材、ＣａはボトルＡの肩部の一部に把手部材Ｂａをインサート成形することにより形成される係合凹部である。
ボトルＡは、口部１と肩部２、胴部３と底部とからなっている。
肩部２と胴部３の境には、横リブ４が設けられている。
【００１３】
把手部材Ｂａは、図１、２に示すように、中央部が、垂直面２０と傾斜湾曲面２１とからなり、その他の表面がボトルの肩部２の表面とほぼ面一になるように形成された表壁面２２と、表壁面２２表面の中央上端から突設された水平部２３と、下端から立設された垂直部２４とからなる把手２５とを具えており、把手２５と表壁面２２との間は、把手孔２６となっている。
【００１４】
表壁面２２には、裏面の上端、下端、および、側面の上下にボトル内方に突出する突部２７ａ、２７ｂ、２７ｃが配設されており、中央の垂直面２０の下端から下方に突出する突条２８が垂設されている。
【００１５】
係合凹部Ｃａは、成形した把手部材ＢａをボトルＡのブロー金型の肩部形成部に装着し、加熱軟化させたボトルＡのプリフォームをブロー成形することにより、プリフォームが、把手部材Ｂａの表壁面２２の裏面、および各突部２７ａ、２７ｂ、２７ｃの表面と側面、突条２８と傾斜湾曲面２１との間に、ボトルＡの樹脂が回り込み、図１に示すように、ボトルＡの肩部２の一部に係合凹部Ｃａが形成される。
その際、突条２８の表面側に係合する凸部３０が、ボトルＡに形成される。
【００１６】
次に、本実施例の把手付きボトルの作用効果について説明する。
本実施例の把手付きボトルでは、把手部材Ｂａの表壁面２２の裏面の突部２７と、ボトルＡ成形時に形成される係合凹部Ｃａ、および凸部３０との係合により、把手部材ＢａをボトルＡにより強固に固着することができる。
また、手指等で把手部材Ｂａの把手２５を摘んだり、把手孔２６にフックを引っ掛けることが簡単にでき、ボトルの持ち運びに便利である。
【００１７】
本実施形態の把手付きボトルは、ボトルＡに把手部材Ｂａをインサート成形により一体化して成形するので強固に固着することができ、ボトルとしての美観を損なうことがない。
【００１８】
さらに、把手部材Ｂａは、手指等で把手２５を摘んだり、把手孔２６に引っ掛けることができればよいので、大きさを小さくすることができ、内容量が少なく小さいボトルにも、ボトルＡに把手部材Ｂａをインサート成形により一体化して強固に固着することができる。
【００１９】
本発明の把手付きボトルは、ボトルＡに把手部材Ｂａをインサート成形により一体化して強固に固着することができればよいので、ボトルの形状は円形、四角形、多角形を問わずどんな形状でもよい。
【実施例２】
【００２０】
次に、第１実施例の把手部材の形状を変えた第２実施例について説明する。
本実施例の第１実施例と同一の構成部分には、同一の符号を付して図示し、詳しい説明を省略し、相違点を中心に説明する。  
【００２１】
図３において、Ａはボトル、ＢｂはボトルＡの把手部材である。
【００２２】
把手部材Ｂｂは、図３、４に示すように、前記第１実施例と同様に、中央に垂直面３５と傾斜湾曲面３６とを具えた表壁面３７と、表壁面３７の中央上端から外方に突出して先端を下方に折曲げ、引っ掛け部３８を形成した把手杆３９とからなっている。
表壁面３７の裏面には、前記実施例と同一の突起４０ａ、４０ｂ、４０ｃと、突条４１が形成されている。
【００２３】
次に、本実施例の把手付きボトルの作用効果について説明する。
本実施例の把手付きボトルでは、手指等で把手部材Ｂｂの把手杆３９を摘んだり、引っ掛け部３８に引っ掛けることで、ボトルの持ち運びに便利である。
【００２４】
また、手指等をボトルに引っ掛けるのに、第１実施例の把手孔ではなく、引っ掛け部３８に引っ掛ければよいので、把手部材Ｂｂの大きさが小さいものでも手指等を引っ掛けることができる。
その他の作用効果は、実施例１と同じである。
【００２５】
上記各実施例の把手部材は、手指等を引っ掛けることができるので、ストラップや首掛け等を引っ掛けて結ぶことにより、ボトルの持ち運びをさらに便利にすることができ、さらに、ストラップや首掛け等をフック等に引っ掛ける等によりボトルを所定の場所に引っ掛けておくことができる。
【産業上の利用可能性】
【００２６】
本発明の把手付きボトルは、把手部材の構造を簡単で小さいものにすることができ、内容量が５００ｍｌ以下のＰＥＴ樹脂により成形されるボトルの成形時に、把手部材をインサート成形することにより一体成形させることで、把手部材をボトルの肩部の一部に固着することができる。
また、どのような形のボトルにも、把手部材を一体成形し、持ち運び、または引っ掛けることが簡単にできるので、飲料品、食料品、香料、薬品の容器として、広く利用することができる。
【符号の説明】
【００２７】
Ａ            ボトル
Ｂａ、Ｂｂ    把手部材
Ｃａ、Ｃｂ    係合凹部
１            口部
２            肩部
３            胴部
４            横リブ
２０、３５    垂直面
２１、３６    傾斜湾曲面
２２、３７    表壁面
２３          水平部
２４          垂直部
２５          把手
２６          把手孔
２７ａ，ｂ，ｃ  突部
２８、４１    突条
３０          凸部
３８          引っ掛け部
３９          把手杆
４０ａ、４０ｂ、４０ｃ    突起
【図１】
2011213418.tif 000003
【図２】
2011213418.tif 000004
【図３】
2011213418.tif 000005
【図４】
2011213418.tif 000006